(57)【要約】  本発明は、簡易トイレに使用する消臭剤において、長時間消臭効果を維持し、簡単に排泄物を廃棄できる消臭剤を提供することを課題とする。  また、トイレ内に使用する飛散防止剤であって、数回の排泄によっても飛散防止効果を維持し、さらに臭気の飛散が抑えられることで消臭効果があり、水洗トイレ等トイレ容器に付着しにくい飛散防止剤を提供することを課題とする。  本発明の簡易トイレ用消臭剤は、ゲル化剤、好ましくは架橋型ポリアクリル酸又はその塩、を含有する。また、本発明のトイレ用飛散防止剤は、ゲル化剤、好ましくは架橋型ポリアクリル酸又はその塩、を含有し、水と混合することにより、最大荷重が０．１０Ｎ以下、及び、付着性が１３Ｊ／ｍ３以上であるゲルを形成する。【特許請求の範囲】
【請求項１】
ゲル化剤を含有することを特徴とする簡易トイレ用消臭剤。
【請求項２】
さらに、消臭成分、香料及び苦味成分から選ばれる１種又は２種以上を含有することを特徴とする請求項１記載の簡易トイレ用消臭剤。
【請求項３】
前記ゲル化剤が架橋型ポリアクリル酸又はその塩であることを特徴とする請求項１に記載の簡易トイレ用消臭剤。
【請求項４】
前記消臭成分が塩化ベンザルコニウムであることを特徴とする請求項２に記載の簡易トイレ用消臭剤。
【請求項５】
前記香料が植物性香料であることを特徴とする請求項２に記載の簡易トイレ用消臭剤。
【請求項６】
請求項１〜５のいずれかに記載の簡易トイレ用消臭剤を、トイレ内の水に対して０．１〜０．５重量％の割合で添加することを含む、簡易トイレの消臭方法。
【請求項７】
ゲル化剤を含有し、水と混合することにより、最大荷重が０．１０Ｎ以下、及び、付着性が１３Ｊ／ｍ３以上であるゲルを形成することを特徴とするトイレ用飛散防止剤。
【請求項８】
前記ゲルのポリプロピレン基板付着量は０．２ｇ／１００ｃｍ２以下であることを特徴とする請求項７に記載のトイレ用飛散防止剤。
【請求項９】
前記ゲル化剤が架橋型ポリアクリル酸又はその塩であることを特徴とする請求項７に記載のトイレ用飛散防止剤。
【請求項１０】
請求項７〜９のいずれかに記載のトイレ用飛散防止剤を、トイレ内の水に対して０．１〜０．５重量％で添加することを含むトイレ使用時の飛散を防止する方法。
【発明の詳細な説明】
【技術分野】
【０００１】
本発明は、トイレに用いる消臭剤、および排泄物の飛散防止剤に関する。特に、簡易トイレ用の消臭剤及びトイレ用飛散防止剤に関する。
本願は、２０１３年１０月３０日に出願された日本国特許出願第２０１３−２２４９６８号、２０１３年１０月３０日に出願された日本国特許出願第２０１３−２２４９７０号に対して優先権を主張し、その内容をここに援用する。
【背景技術】
【０００２】
簡易トイレ（ポータブルトイレ）は、災害用や介護用等の目的で主に室内で用いるトイレであり、常設されたトイレと異なり、一時的にトイレ内で排泄物を溜めておき、別途廃棄の作業が発生する。この時、排泄物の臭いが強くその作業は困難である。そのため、予め簡易トイレの容器の中に、水と消臭剤を入れておいて、排泄を行なっていた。しかし、排泄物に対して消臭剤の量が不十分であり、その消臭効果が弱かった。
その対策方法として、泡状消臭剤等が開発されている（特許文献１）。これは簡易トイレの容器内に水を入れ、その水の上に泡状消臭剤の被膜を形成し、臭いを遮断する方法であるが、効果は限定的であり、消泡後は効果が低下していた。
簡易トイレ用のゲル化剤として、排泄物が溜まる場所に予め、もしくは、排泄後に投入することで、排泄物を固めて廃棄しやすくしたり、排泄物の臭気を抑えたりするものが知られている。これらのゲル化剤等は以前から知られていて、各種市販もされている。
例えば、特許文献２には、ポリアクリル酸塩等を有効成分とする消臭剤が記載されている。また特許文献３には、数平均分子量１００万〜８００万の非架橋型ポリアクリル酸ナトリウムを主成分とする洋式トイレ用屎尿飛散防止剤が開示されており、消臭効果も記載されている。しかしこれらの消臭効果は一時的なものであるため、消臭効果を長時間維持できる簡易トイレ用の消臭剤の開発が求められている。
一方、トイレにて排泄する場合、排泄物が落下すると、トイレ内の水または排泄物が跳ね返り、臀部等を汚してしまうことがあった。そのための防止策としてトイレ内に跳ね返り防止剤を使用することが知られている。例えば、前記の特許文献３には一般のトイレに使用できる飛散防止剤が記載されている。特許文献４には、ポータブルトイレ用として、ポリアクリル酸ナトリウムと抗菌成分（ヘキサメチレンテトラミン）の組成物の発明が記載されている。
しかし、単に跳ね返り防止剤を使用しても、その防止剤の上に排泄物が乗った状態で、続いて排泄すると、排泄物が跳ね返ってしまい、また消臭効果もなく、好ましくなかった。また、水洗トイレ等に跳ね返り防止剤を入れた場合、トイレの壁にその防止剤が付着し、一回の洗浄で十分に流し出せなかった。
特許文献５には、消臭剤または脱臭剤とポリアクリル酸塩架橋体等の高吸収性樹脂とからなる排泄物処理剤が記載されているが、用途は排泄物自体と混合して粘性を高めるものであり、これを一般のトイレに用いた場合の排泄時の跳ね返り防止効果は記載されていないし、消臭効果も十分ではない。
【先行技術文献】
【特許文献】
【０００３】
【特許文献１】特開２００１−４６４８３号公報
【特許文献２】特開昭６０−３６０５７号公報
【特許文献３】特開２０１１−１２４１０号公報
【特許文献４】特開２００１−１１５５２４号公報
【特許文献５】特開平５−２６９１６４号公報
【発明の概要】
【発明が解決しようとする課題】
【０００４】
簡易トイレに使用する消臭剤において、長時間消臭効果を維持し、簡単に排泄物を廃棄できる消臭剤を提供することを課題とする。
また、トイレ内に使用する飛散防止剤であって、数回の排泄によっても飛散防止効果を維持し、さらに臭気の飛散が抑えられることで消臭効果があり、水洗トイレ等トイレ容器に付着しにくい飛散防止剤を提供することを課題とする。  
【課題を解決するための手段】
【０００５】
本発明者らは、簡易トイレに使用する消臭剤は、単に水に溶解させた液状のものではなく、例えば、ポリアクリル酸等のゲル化剤によってゲル状にすることで、排泄物が水中で溶解し、拡散することを抑えることができることを見出した。このようなゲルに排泄をすると、ゲル状物質の中では排泄物は自由に拡散しないため、臭気成分の拡散も最低限に抑えられる。また香料の添加効果により消臭成分と共に消臭効果が十分に発揮できることを見出した。
さらに、飛散防止剤をゲル状にし、そのゲルの最大荷重および付着性を特定の数値範囲とすることで、排泄物が飛散防止剤内部に取り込まれ、それによって良好なゲル状飛散防止剤を開発することが出来た。
すなわち、本発明は、
（１）ゲル化剤を含有することを特徴とする簡易トイレ用消臭剤、
（２）さらに、消臭成分、香料及び苦味成分から選ばれる１種又は２種以上を含有することを特徴とする（１）に記載の簡易トイレ用消臭剤、
（３）前記ゲル化剤が架橋型ポリアクリル酸又はその塩であることを特徴とする（１）に記載の簡易トイレ用消臭剤、
（４）前記消臭成分が塩化ベンザルコニウムであることを特徴とする（２）に記載の簡易トイレ用消臭剤、
（５）前記香料が植物性香料であることを特徴とする（２）に記載の簡易トイレ用消臭剤、及び
（６）（１）〜（５）のいずれかに記載の簡易トイレ用消臭剤を、トイレ内の水に対して０．１〜０．５重量％の割合で添加することを含む、簡易トイレの消臭方法に関する。【０００６】
さらに、本発明は、
（７）ゲル化剤を含有し、水と混合することにより、最大荷重が０．１０Ｎ以下、及び、付着性が１３Ｊ／ｍ３以上であるゲルを形成することを特徴とするトイレ用飛散防止剤、
（８）前記ゲルのポリプロピレン基板付着量は０．２ｇ／１００ｃｍ２以下であることを特徴とする（７）に記載のトイレ用飛散防止剤、
（９）前記ゲル化剤が架橋型ポリアクリル酸又はその塩であることを特徴とする（７）に記載のトイレ用飛散防止剤、及び、
（１０）（７）〜（９）のいずれかに記載のトイレ用飛散防止剤を、トイレ内の水に対して０．１〜０．５重量％で添加することを含むトイレ使用時の飛散を防止する方法に関する。
【発明の効果】
【０００７】
（１）本発明の消臭剤又は飛散防止剤を使用すると、ゲル状となるため、糞等の排泄物はそのゲル状内に沈み込むので大気への臭いの拡散が低減される。臭気成分は排泄物全体に存在しているので、排泄物が溶解し液状状態になると、排泄物内部に存在する臭気成分全てが臭気の原因となる。そのため、臭気を抑えるには、排泄物の原形を保つことが重要になる。本発明品がゲル状になるとゲルに内在する水の動きを抑制するので、排泄物を溶解してもその水はゲル全体へ拡散されにくく、結果として、排泄物内の臭気成分もゲル全体に拡散されにくい。これにより、効率的に臭気を抑えることができる。【０００８】
（２）本発明の消臭剤又は飛散防止剤は、簡易トイレ容器と排泄物の接触を最小限に抑えることができるため、簡易トイレ容器の汚れを最小限に抑えることができる。前記の通り、排泄物がゲル全体に拡散しないため、容器に接触する可能性が少なくなり、さらに容器表面と排泄物との間には、ゲルが存在するために、これがクッションとなり、直接排泄物と容器表面が接触し難くなるので、結果として容器表面に排泄物が付着しにくくなる。【０００９】
（３）本発明の消臭剤又は飛散防止剤は、使用後に内容物（本発明品及び排泄物）を廃棄する時に、廃棄し易い。前記の通り、ゲル全体に排泄物が拡散していないことと、容器表面に排泄物が付着しないことにより廃棄し易いが、さらに、ゲル状であるために廃棄し易い。通常、排泄物は、その日によって、または、人によって異なり、水に沈み込む排泄物や、水に浮く排泄物をすることがある。消臭剤が単なる液状であって、排泄物が水に沈み込んだものを廃棄する場合、液状の消臭剤が先に流れ出て、排泄物が容器に残存するため、廃棄し難くなる。また、排泄物が水に浮く場合は、排泄物が先に落ち、その後排泄物の上に消臭剤が落ちるため、排泄物が飛散してしまう。通常、水に浮く排泄物はそのものの強度が弱く、簡単に原形を崩してしまうため、細心の注意が必要である。しかし、本発明の消臭剤または飛散防止剤を使用するとゲル状物質と排泄物とが一体になって排出されるため、ゆっくりと廃棄しても排泄物を容器に付着させずに廃棄できる。さらにゲル状であるため、廃棄中の跳ねが少なく、周りを汚し難い。【００１０】
（４）本発明の消臭剤又は飛散防止剤は、容器から内容物をほとんど廃棄した後の容器を洗浄する時の操作性が良好である。従来の消臭剤を使用する場合は、容器に排泄物の残骸が付着したり、排泄物の溶解したゲルが付着したりするが、これを洗浄するには、新たに水を入れてゆすいで廃棄するか、洗剤等で洗浄する必要がある。通常、トイレ内部には手を洗う程度の水しか確保されておらず、容器を洗浄するために、臭気物質が付着した容器を移動させる必要がある。このため内容物を廃棄した後であっても臭気によって作業者は困難な作業を行うことになる。本発明の消臭剤または飛散防止剤を用いる場合は、前記の通り容器に付着しにくいため洗浄し易いが、さらにゲル状であるため、ゲル状物質が容器に付着し難く、容器に残存し難い。また、容器に若干残存したゲルは、軽く叩くと容器表面から脱落するので、廃棄し易い。または、トイレットペーパー等で拭きとっても簡単に除去できる。結果として、本発明の消臭剤または飛散防止剤を用いると、簡易トイレの洗浄作業が軽減できる。【００１１】
（５）本発明の消臭剤が香料や消臭成分を含有している場合は、それぞれの効果を奏するのみならず、消臭効果が向上する。本発明品においては排泄物とゲルとの接触面積が最小限に抑えられるため、消臭のための香料や消臭成分の必要量も最小限で済み、香料および消臭成分を併用することで、消臭効果が長時間維持されるという相乗効果を奏する。
【発明を実施するための形態】
【００１２】
（１）消臭剤
本発明の消臭剤は、ゲル状にすることができる剤（以下、ゲル化剤）を含有する組成物であり、さらに、消臭成分、香料を含有することができ、また、さらにその他の添加剤を含有することもできる。
１）ゲル化剤
ゲルとは、コロイド溶液が流動性を失い、多少の弾性と固さをもってゼリー状に固化したものをいう。ゲルの状態になったものをゲル状といい、水等の液状物質をこのようなゲル状にするものをゲル化剤という。
本発明においてゲル化剤は、水等の液状物質とともにゲル状になればよく、特にゲル化剤として機能すれば限定されるものではない。
具体的には、キサンタンガム、ジェランガム、ダイユータンガム等のバイオガム；
メチルセルロース、カルボキシメチルセルロース、カチオン化セルロース等のセルロース系高分子化合物；
ヒドロキシエチルセルロース、ヒドロキシプロピルセルロース、ヒドロキシエチルメチルセルロース、ヒドロキシプロピルメチルセルロース、ヒドロキシエチルエチルセルロース等のヒドロキシアルキルセルロース系高分子化合物；
グアーガム、ヒドロキシプロピルグアーガム、ガチオン化グアーガム、カチオン化ヒドロキシプロピルグアーガム、カルボキシメチル・ヒドロキシプロピルグアーガム等のグアーガム誘導体；
ポリアクリル酸ナトリウム、架橋型ポリアクリル酸及びその塩、塩化ジメチルアリルアンモニウム／アクリルアミド共重合体、塩化ジメチルアリルアンモニウム／アクリルアミド／アクリル酸共重合体等のアクリル系高分子化合物；
ポリビニルアルコール、カルボキシビニルポリマー、アルキル変性カルボキシビニルポリマー、ポリビニルピロリドン等のビニル系高分子化合物；
高重合ポリエチレングリコール等のポリエチレングリコール系高分子化合物；
フコイダン、カラギナン、アルギン酸ナトリウム、寒天等の海藻由来物；
アラビアゴム、プルラン、マルメロ、ヒアルロン酸ナトリウム、ポリグルタミン酸ナトリウム等が挙げられる。
ゲル化剤としては、好ましくは、架橋型ポリアクリル酸及びその塩である。
ゲル化剤の含有量は、前記の組成物の全重量に対して、５０〜１００重量％、好ましくは、７０〜９９．９９５重量％、さらに好ましくは８０〜９９．９９５重量％である。
【００１３】
（架橋型ポリアクリル酸及びその塩）
架橋型ポリアクリル酸とは、アクリル酸と重合可能な基を２以上有する化合物とを重合させた化合物であり、例えば、特開昭５５−１３３４１３号公報に記載されている化合物等が知られている。また、架橋型ポリアクリル酸の製造方法は特に限定する必要はなく、どのような合成方法であってもよいが、水溶液重合法や逆相懸濁重合法を用いて合成することができる。
架橋型ポリアクリル酸の塩は、アルカリ金属塩、アルカリ土類金属塩等であり、特に限定されるものではないが、好ましくは、アルカリ金属塩であり、さらに好ましくはナトリウム塩である。
架橋型ポリアクリル酸は、粉末状、顆粒状等が知られている。分子量は特に限定されるものではないが、架橋型ポリマーは一般的にはＧＰＣ（ゲル浸透クロマトグラフ）法で測定することができない。
架橋型ポリアクリル酸は、トイレの水中全体にわたるゲルを形成するため、排泄物の拡散を抑えることにより高い臭気抑制効果を発揮する。
【００１４】
２）消臭成分
消臭成分は、水に拡散できる消臭成分であれば、特に限定されるものではない。水に拡散できる消臭成分とは、水に溶解することができる消臭成分、水に分散することができる消臭成分等である。
水に溶解することができる消臭成分としては、第四級アンモニウム塩、カテキン、アミノ酸等を例示することができる。
水に分散することができる消臭成分としては、木炭や活性炭等を例示することができる。
消臭成分としては、好ましくは、第四級アンモニウム塩である。
消臭成分の含有量は、組成物の全重量に対して、０．００１〜１０重量％、好ましくは、０．００１〜１重量％、さらに好ましくは０．００１〜０．１重量％である。
【００１５】
（第四級アンモニウム塩）
本発明に用いられる第四級アンモニウム塩としては、塩化ベンザルコニウム、塩化ベンゼトニウム、塩化セチルピリジニウム、塩化ジメチルアンモニウム、塩化テトラデシルジメチルベンジルアンモニウム等を例示することができるが、塩化ベンザルコニウムが特に望ましい。 
【００１６】
３）香料
香料としては、好ましい香りであれば特に限定されないが、本発明品としては、植物性香料が好ましく、ユーカリ精油がさらに好ましい。
植物性香料としては、アニス精油、アンゲリカ精油、イランイラン精油、イリス精油、ウイキョウ精油、オレンジ精油、カナンガ精油、カラウェー精油、カルダモン精油、グアヤクウッド精油、クミン精油、黒文字精油、ケイ皮精油、シンナモン精油、ゲラニウム精油、コパイババルサム精油、コリアンダー精油、シソ精油、シダーウッド精油、シトロネラ精油、ジャスミン精油、ジンジャーグラス精油、杉精油、スペアミント精油、西洋ハッカ精油、大茴香精油、チュベローズ精油、丁字精油、橙花精油、冬緑精油、トルーバルサム精油、パチュリー精油、バラ精油、パルマローザ精油、桧精油、ヒバ精油、白檀精油、プチグレン精油、ベイ精油、ベチバー精油、ベルガモット精油、ペルーバルサム精油、ボアドローズ精油、芳樟精油、マンダリン精油、ユーカリ精油、ライム精油、ラベンダー精油、リナロエ精油、レモングラス精油、レモン精油、ローズマリー精油、和種ハッカ精油等を例示することができる。
香料の含有量は、組成物の全重量に対して、０．００１〜１０.０重量％、好ましくは、０．００１〜５.０重量％、さらに好ましくは０．００１〜１．５重量％である。
【００１７】
４）その他の添加物
その他の添加物としては、苦味成分を例示することができる。
その他の添加物の含有量は、組成物の全重量に対して、０．００１〜１０.０重量％、好ましくは、０．００１〜５.０重量％、さらに好ましくは０．００１〜１．５重量％である。
【００１８】
（苦味成分）
簡易トイレは、災害時や病気療養時以外にも、痴呆症患者用に利用することができる。そのため、ゲル化剤を間違って飲用する可能性があり、苦味成分を入れることで誤飲を防止することができる。苦味成分としては特に限定されるものではないが、スクロースオクタアセテートが好ましい。
【００１９】
５）実施形態
本発明の消臭剤は、市販されている簡易トイレ内の水に対して、０．０８〜１重量％、好ましくは０．１〜０．５重量％、より好ましくは０．２〜０．４重量％となるように添加する。続いて、簡易トイレで排泄物を排泄する。通常であれば、２〜３回行うことができる。使用後は、水洗トイレ等にゲル及び排泄物を廃棄する。
本発明の消臭剤は、以上の方法に従って使用すれば、優れた消臭効果を奏するのみならず、使用後の廃棄操作も簡便である。水に対する使用比率が０．０８重量％未満である場合には消臭効果が劣る。また１重量％を超える場合には排泄物がゲル中に沈みにくいので水を足す必要があり、また水洗トイレに流しにくくなる。
簡易トイレとしては、特に限定されるものではなく、市販されているもの以外でもよく、ビニール袋等で自作したもの、常設したトイレにビニール袋を設置したもの等であってもよい。
本発明の消臭剤は、特に、臭気が問題となりやすい大小便兼用型の簡易トイレに使用するのに適している。
【００２０】
（２）飛散防止剤
飛散防止剤とは、便等の排泄物が落下する場所に使用し、排泄時の水や排泄物の飛散を防止する目的のものである。本発明の飛散防止剤はゲル化剤を含有し、水と混合した時にゲルを形成する。更に消臭成分や香料を混合することで消臭効果が向上する。また、さらにその他の添加剤を含有することもできる。
【００２１】
（ゲルの測定方法）
本発明品の物理的な性質を測定するには、一般的なゲルの測定機器を用いて測定することができる。たとえば、クリープメータ（株式会社山電製、型番：ＲＥ２−３３００５Ｃ）を用い、解析にはテクスチャー解析ＷＩＮＤＯＷＳ（登録商標、株式会社山電製、ＴＡＳ−３３０５）を用いることができる。
本発明において、最大荷重はプランジャーでゲルに負荷を加えたときの、その最大試験力（Ｎ）を示し、付着性はゲルの表面と他のもの（プランジャー、材質：ポリアセタール）との間の付着力に打ち勝つのに要する力（Ｊ／ｍ３）を示す。
また、ポリプロピレン基板付着性評価はポリプロピレン（ＰＰと略す）に対するゲルの付着性を示している。
【００２２】
（ゲルの最大荷重）
ゲルの最大荷重によって、排泄物のゲル内への取り込まれ易さがわかる。最大荷重が高すぎると排泄物がゲル内に取り込まれず、最大荷重が低すぎると、飛散防止効果が低減する。
飛散防止剤として、好ましい最大荷重は、０．１０Ｎ以下であり、さらに好ましいのは０．０５〜０．１０Ｎであり、最も好ましいのは０．０６〜０．０９Ｎである。
【００２３】
（ゲルの付着性）
ゲルの付着性によって、トイレの便器への付着のし易さと、飛散防止効果がわかる。付着性が高すぎると十分に洗浄できず、低すぎると液はねがひどくなる。
飛散防止剤として、好ましい付着性は、１３Ｊ／ｍ３以上であり、さらに好ましいのは１４Ｊ／ｍ３以上であり、さらに２０〜５００Ｊ／ｍ３が最も好ましい。
【００２４】
（ポリプロピレン基板付着性評価）
ポリプロピレン基板付着性によっても、トイレの便器への付着のし易さがわかる。この付着性は、ＰＰ製の基板上にゲル状化合物を設置し、一定時間後、その基板を垂直にした時に基板に残存しているゲルの量を測定することで、判断することができる。
飛散防止剤として、好ましいポリプロピレン基板付着量は、０．２ｇ／１００ｃｍ２以下であり、さらに好ましいのは０．０１〜０．１０ｇ／１００ｃｍ２が最も好ましい。
【００２５】
（成分）
本発明の飛散防止剤の成分は以下のとおりである。
１）ゲル化剤
ゲルとは、コロイド溶液が流動性を失い、多少の弾性と固さをもってゼリー状に固化したものをいう。ゲルの状態になったものをゲル状といい、水等の液状物質をこのようなゲル状にするものをゲル化剤という。
ゲル化剤は、水とともにゲル状になればよく、特にゲル化剤として機能すれば限定されるものではない。
ゲル化剤の形態は固形、シート状、顆粒状、粉末状、流動性のあるゲル状等のいずれでもよいが、簡便に使用でき、またトイレの水全体がゲル化するという点で、特に顆粒状または粉末状が好ましく、該ゲル化剤の粒径は１ｍｍ以下であることが好ましい。
ゲル化剤としては、具体的には、キサンタンガム、ジェランガム、ダイユータンガム等のバイオガム；
メチルセルロース、カルボキシメチルセルロース、カチオン化セルロース等のセルロース系高分子化合物；
ヒドロキシエチルセルロース、ヒドロキシプロピルセルロース、ヒドロキシエチルメチルセルロース、ヒドロキシプロピルメチルセルロース、ヒドロキシエチルエチルセルロース等のヒドロキシアルキルセルロース系高分子化合物；
グアーガム、ヒドロキシプロピルグアーガム、ガチオン化グアーガム、カチオン化ヒドロキシプロピルグアーガム、カルボキシメチル・ヒドロキシプロピルグアーガム等のグアーガム誘導体、
ポリアクリル酸ナトリウム、架橋型ポリアクリル酸及びその塩、塩化ジメチルアリルアンモニウム／アクリルアミド共重合体、塩化ジメチルアリルアンモニウム／アクリルアミド／アクリル酸共重合体等のアクリル系高分子化合物；
ポリビニルアルコール、カルボキシビニルポリマー、アルキル変性カルボキシビニルポリマー、ポリビニルピロリドン等のビニル系高分子化合物；
高重合ポリエチレングリコール等のポリエチレングリコール系高分子化合物；
フコイダン、カラギナン、アルギン酸ナトリウム、寒天等の海藻由来物；
アラビアゴム、プルラン、マルメロ、ヒアルロン酸ナトリウム、ポリグルタミン酸ナトリウム等が挙げられる。
ゲル化剤としては、好ましくは、架橋型ポリアクリル酸及びその塩である。特に架橋型ポリアクリル酸ナトリウムが好ましい。
ゲル化剤の含有量は、飛散防止剤組成物の全重量に対して、５０〜１００重量％、好ましくは、７０〜９９．９９５重量％、さらに好ましくは８０〜９９．９９５重量％である。
【００２６】
（架橋型ポリアクリル酸及びその塩）
架橋型ポリアクリル酸とは、アクリル酸と重合可能な基を２以上有する化合物とを重合させた化合物であり、例えば、特開昭５５−１３３４１３号公報に記載されている化合物等が知られている。また、架橋型ポリアクリル酸の製造方法は特に限定する必要はなく、どのような合成方法であってもよいが、水溶液重合法や逆相懸濁重合法を用いて合成することができる。
架橋型ポリアクリル酸の塩は、アルカリ金属塩、アルカリ土類金属塩等であり、特に限定されるものではないが、好ましくは、アルカリ金属塩であり、さらに好ましくはナトリウム金属塩である。
架橋型ポリアクリル酸は、粉末状、顆粒状等が知られている。分子量は特に限定されるものではないが、架橋型ポリマーは一般的にはＧＰＣ（ゲル浸透クロマトグラフ）法で測定することができない。
架橋型ポリアクリル酸は、トイレの水中全体にゲルを形成するため、排泄物の拡散を抑えることで臭気を抑える効果が高い。
しかも架橋型ポリアクリル酸は、架橋により樹脂間の絡みつきが少ないため、十分に希釈された状態ではゲルの流動性が高く、水洗トイレに廃棄しても配管が閉塞せず、また洗浄の際にトイレの壁にゲルが付着して残ることもない。
【００２７】
２）消臭成分
消臭成分は、水に拡散できる消臭成分であれば、特に限定されるものではない。水に拡散できる消臭成分とは、水に溶解することができる消臭成分、水に分散することができる消臭成分等である。
水に溶解することができる消臭成分としては、第四級アンモニウム塩、カテキン、アミノ酸等を例示することができる。
水に分散することができる消臭成分としては、木炭や活性炭等を例示することができる。
消臭成分としては、好ましくは、第四級アンモニウム塩である。
消臭成分の含有量は、飛散防止剤組成物の全重量に対して、０．００１〜１０重量％、好ましくは、０．００２〜１重量％、さらに好ましくは０．００１〜０．１重量％である。
【００２８】
（第四級アンモニウム塩）
本発明に用いられる第四級アンモニウム塩としては、塩化ベンザルコニウム、塩化ベンゼトニウム、塩化セチルピリジニウム、塩化ジメチルアンモニウム、塩化テトラデシルジメチルベンジルアンモニウム等を例示することができるが、塩化ベンザルコニウムが特に望ましい。
【００２９】
３）香料
香料としては、好ましい香りであれば特に限定されないが、本発明品としては、植物性香料が好ましく、ユーカリ精油がさらに好ましい。
植物性香料としては、アニス精油、アンゲリカ精油、イランイラン精油、イリス精油、ウイキョウ精油、オレンジ精油、カナンガ精油、カラウェー精油、カルダモン精油、グアヤクウッド精油、クミン精油、黒文字精油、ケイ皮精油、シンナモン精油、ゲラニウム精油、コパイババルサム精油、コリアンダー精油、シソ精油、シダーウッド精油、シトロネラ精油、ジャスミン精油、ジンジャーグラス精油、杉精油、スペアミント精油、西洋ハッカ精油、大茴香精油、チュベローズ精油、丁字精油、橙花精油、冬緑精油、トルーバルサム精油、パチュリー精油、バラ精油、パルマローザ精油、桧精油、ヒバ精油、白檀精油、プチグレン精油、ベイ精油、ベチバー精油、ベルガモット精油、ペルーバルサム精油、ボアドローズ精油、芳樟精油、マンダリン精油、ユーカリ精油、ライム精油、ラベンダー精油、リナロエ精油、レモングラス精油、レモン精油、ローズマリー精油、和種ハッカ精油等を例示することができる。
香料の含有量は、飛散防止剤組成物の全重量に対して、０．００１〜１０.０重量％、好ましくは、０．００１〜５.０重量％、さらに好ましくは０．００１〜１．５重量％である。
【００３０】
４）その他の添加物
その他の添加物としては、苦味成分を例示することができる。
その他の添加物の含有量は、飛散防止剤組成物の全重量に対して、０．００１〜１０.０重量％、好ましくは、０．００１〜５.０重量％、さらに好ましくは０．００１〜１．５重量％である。
【００３１】
（苦味成分）
簡易トイレで使用する場合は、災害時や病気療養時以外にも、痴呆症患者用に利用することができる。そのため、ゲル化剤を間違って飲用する可能性があり、苦味成分を入れることで飲用を防止することができる。苦味成分としては特に限定されるものではないが、スクロースオクタアセテートが好ましい。
【００３２】
５）実施形態
本発明品は、家庭用水洗トイレに使用することができるが、簡易トイレに用いることもできる。トイレ内の水に対して、本発明の飛散防止剤を、通常、０．０８〜１重量％、好ましくは０．１〜０．５重量％、より好ましくは０．２〜０．４重量％となるように添加して、ゲルを作製する。水に対する使用比率が０．０８重量％未満である場合には、便が底まで沈み、底に便が付着することがあるため、好ましくはなく、さらに消臭効果が劣る。また１重量％を超える場合には排泄物がゲル中に沈みにくいので水を足す必要があり、また水洗トイレに流しにくくなる。続いて、簡易トイレで排泄物を排泄する。通常であれば、２〜３回行うことができる。使用後は、水洗トイレ等にゲル及び排泄物を廃棄する。家庭用水洗トイレで使用した場合は、水を流して、そのまま廃棄することができる。
簡易トイレとしては、特に限定されるものではなく、市販されているもの以外でもよく、ビニール袋等で自作したもの、常設したトイレにビニール袋を設置したもの等であってもよい。
【実施例】
【００３３】
以下に本発明の実施例を示すが、本発明の技術的範囲はこれらに限定されるものではない。
（１）消臭剤としての例
［実施例１］
簡易トイレにあらかじめ水を２０００ｇ入れておき、そこに架橋型ポリアクリル酸ナトリウム（中央工業株式会社製、ＣＰ−１、比重約０．８）  ５ｇ、塩化ベンザルコニウム  ０．０００２ｇ、ユーカリ精油  ０．０５ｇを入れ、ゲルを作成した。次にヒトの糞を入れ、その後の状況を以下の指針で評価した。結果を第１表に示す。
〔目視評価指針〕
目視で１０分後、及び１、７、２４時間後の状況を確認した。
○： 糞は原型を留めていた。
△： 糞は若干溶解していた。
×： 糞はかなり溶解していた。
〔臭気評価指針（１）〕
試験者が１０分後、及び１、７、２４時間後の臭気を嗅いで評価した。
○： 臭気はほとんどしなかった。
△： 多少、臭気がした。
×： かなり臭気がした。
〔臭気評価指針（２）〕
試験者が１、７、２４時間後に簡易トイレ内容物を廃棄し、その際に臭気を嗅で評価した。
○： 臭気はほとんどしなかった。
△： 多少、臭気がした。
×： かなり臭気がした。【００３４】
［比較例１］
簡易トイレにあらかじめ水を２０００ｇ入れておいた。次にヒトの糞を入れ、その後の状況を実施例１と同様の指針で評価した。【００３５】
［比較例２］
簡易トイレにあらかじめ水を２０００ｇ入れておき、そこに簡易トイレ用消臭フォーム（幸和製作所社製、ＤＥ０５）を約５ｇ入れ、泡状物質を形成した。次にヒトの糞を入れ、その後の状況を実施例１と同様の指針で評価した。【００３６】
［実施例２］
実施例１の内、ユーカリ精油を混合しない以外は実施例１と同様の方法で作成した。次にヒトの糞を入れ、その後の状況を実施例１と同様の指針で評価した。【００３７】
［実施例３］
実施例１の内、塩化ベンザルコニウムを混合しない以外は実施例１と同様の方法で作成した。次にヒトの糞を入れ、その後の状況を実施例１と同様の指針で評価した。【００３８】
［参考例１］
実施例１の内、架橋型ポリアクリル酸ナトリウムに代えて、ポリアクリル酸ナトリウム（和光純薬株式会社製、重合度３０，０００〜４０，０００）を用いた以外は実施例１と同様の方法で作成した。次にヒトの糞を入れ、その後の状況を実施例１と同様の指針で評価した。【００３９】
［参考例２］
参考例１の内、ユーカリ精油を混合しない以外は実施例４と同様の方法で作成した。次にヒトの糞を入れ、その後の状況を実施例１と同様の指針で評価した。【００４０】
［参考例３］
参考例１の内、塩化ベンザルコニウムを混合しない以外は実施例４と同様の方法で作成した。次にヒトの糞を入れ、その後の状況を実施例１と同様の指針で評価した。【００４１】
【表１】
2015064070.tif 000002
【００４２】
以上から、消臭剤としては、架橋型ポリアクリル酸ナトリウム、ユーカリ精油および塩化ベンザルコニウムを含有するものが特に優れていることが判明した。【００４３】
（２）飛散防止剤としての例
［実施例４］［サンプル１〜９］ゲルの作製
下記に示す樹脂Ａ〜Ｃを用いて、第２表に示す割合で、ゲルを作製した。なお、樹脂濃度は、樹脂量を水の量で割った値である。
樹脂Ａ：架橋型ポリアクリル酸ナトリウム、粒子径１６０μｍ
樹脂Ｂ：架橋型ポリアクリル酸ナトリウム、ＣＰ−１（中央工業株式会社製）
樹脂Ｃ：ポリアクリル酸ナトリウム（重合度３０，０００〜４０，０００、和光純薬工業株式会社製）【００４４】
【表２】
2015064070.tif 000003
【００４５】
［評価１］便の包み込み評価
サンプル１〜９のゲルを、簡易トイレ（アイリスオーヤマ株式会社製、ＴＰ−４２０Ｖ）に、約２Ｌ分入れた。そして、各ゲルに、模擬便（粘土１５０ｇ）を便座から容器までの高さ（約２３ｃｍ）から落下させて、模擬便をゲルがどのように包み込むかを下記指標で評価した。結果を第３表に示す。
◎ : 落下後に模擬便がゲル内に潜り込み、尚且つ底までは沈まない（底に便が付着することがあるため、底にはなるべくつかないほうが好ましい）
○ : 落下後に模擬便がゲル内に潜り込むが、底まで沈む
△ : 落下後、模擬便がゲル内に途中までしか潜り込まない
× : 落下後、模擬便がゲルの上に乗ってしまう。【００４６】
［評価２］液はねの評価
サンプル１〜９のゲルを、簡易トイレ（アイリスオーヤマ株式会社製、ＴＰ−４２０Ｖ）に、約２Ｌ分入れた。そして、各ゲルに、模擬便（粘土１５０ｇ）を便座から容器までの高さ（約２３ｃｍ）から３回落下させて、模擬便による液はねを下記指標で評価した。結果を第４表に示す。
◎ : ３回とも、容器外に飛散らない
○ : 容器外に飛散らなかったが、容器よりも上にはねた回がある
△ : 容器外に飛散る回がある
× : ３回とも、容器外に飛散る【００４７】
［評価３］容器離れの評価
前記評価２で使用した簡易トイレ内にゲルを、容器を傾け、内容物を廃棄した際の容器離れを下記指標で評価した。結果を第５表に示す。
◎ : 速やかに全てとれる
○ : 時間がかかるが、とれる
△ : ふればとれる
× : とれない【００４８】
［評価４］最大荷重の評価
サンプル１〜９のゲルの最大加重を測定した。その結果と、前記評価１の結果を関連させて第３表に示す。【００４９】
【表３】
2015064070.tif 000004
第３表から、最大荷重が０．１０Ｎ以下が便の包み評価が良く、さらに最大荷重０．０５〜０．１０Ｎが好ましいことが判明した。
特に、樹脂濃度を０．２５％程度とする場合には、ゲル化剤として架橋型ポリアクリル酸ナトリウムを用いるのが好ましいことが判明した。【００５０】
［評価５］ゲルの付着性の評価
サンプル１〜９のゲルの付着性を測定した。その結果と、前記評価２の結果を関連させて第４表に示す。【００５１】
【表４】
2015064070.tif 000005
第４表から、付着性は、１３Ｊ／ｍ３以上が液はねの評価が良く、さらに付着性が１４Ｊ／ｍ３以上が好ましく、さらに２０Ｊ／ｍ３以上が好ましいことが判明した。【００５２】
［評価６］ポリプロピレン基板付着性評価
寸法が１０ｃｍ×１０ｃｍ、厚さ０．７５ｍｍのポリプロピレン（ＰＰ）板の平坦な面に、前記ゲル状化合物１．０ｇを０．０１０ｇ／ｃｍ２の坪量となるように均一に散布し、試験用サンプルを調製した。（２５℃、５５％ＲＨ）の雰囲気下、ＰＰ板（寸法１０ｃｍ×１０ｃｍ）の上にサンプルを載置し、５分間静置させた。サンプルを垂直に傾け２分間保持させ、その後、秤量し、ゲルの基板への付着性を評価した。また、この試験を繰り返し３回行った。その結果と、前記評価３の結果を関連させて第５表に示す。【００５３】
【表５】
2015064070.tif 000006
第５表から、ＰＰ基板付着量は０．２ｇ／１００ｃｍ２以下が好ましく、さらに０．０１〜０．１０ｇ／１００ｃｍ２が好ましいことが判明した。【００５４】
以上の結果から、飛散防止剤としては、最大荷重が０．１０Ｎ以下であり、付着性が１３Ｊ／ｍ３以上であるゲルが良好であることがわかった。さらにＰＰ基板付着量は０．２ｇ／１００ｃｍ２以下が好ましい。
この条件に該当するサンプルは、サンプル２、５、７、８、９であり、さらにＰＰ基板付着量も好ましいものは、サンプル２、５、９であった。
このようにゲルの最大荷重、付着性を測定することで、良好な飛散防止剤を見出すことができた。
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
（Ａ）架橋型ポリアクリル酸又はその塩  ８０〜９９．９９５重量％、
（Ｂ）第４級アンモニウム塩  ０．００１〜１０重量％、及び
（Ｃ）香料  ０．００１〜１０重量％
を含有する組成物であり、
水に対して当該組成物を０．０８〜１重量％となるように混合したときに、ゲル測定機器のプランジャーで負荷を加えたときの最大試験力（Ｎ）で表わされる最大荷重が０．０５〜０．１０Ｎであり、前記プランジャーとの間の付着力に打ち勝つのに要する力（Ｊ／ｍ３）で表わされる付着性が１３〜５００Ｊ／ｍ３であるゲルを形成することを特徴とする簡易トイレ用消臭及び飛散防止剤。
【請求項２】
前記ゲルのポリプロピレン基板付着量が０．２ｇ／１００ｃｍ２以下であることを特徴とする請求項１に記載の簡易トイレ用消臭及び飛散防止剤。
【国際調査報告】
2015064070.tif 000007
2015064070.tif 000008
2015064070.tif 000009
2015064070.tif 000010